(57)【要約】  シリアル伝送路の伝送方向を切り替えて双方向伝送を行う。  伝送システムは、伝送路を介して互いに伝送を行う第１および第２の機器を具備する。第１の機器は、伝送路を介して第２の機器との間で伝送を行う第１の伝送回路と、第２の機器に対して伝送路における伝送方向の反転要求を行った後に伝送路を開放し、第２の機器からの反転許可に応答して第１の伝送回路における伝送方向を反転させる第１の伝送方向反転制御部とを備える。第２の機器は、伝送路を介して第１の機器との間で伝送を行う第２の伝送回路と、第１の機器からの反転要求に応答して伝送路を開放し、第１の機器が再びアクセス可能になると第１の機器に対して反転許可をするとともに第２の伝送回路における伝送方向を反転させる第２の伝送方向反転制御部とを備える。
2016002271.tif 000002
【特許請求の範囲】
【請求項１】
伝送路を介して他の機器との間で伝送を行う伝送回路と、
前記他の機器に対して前記伝送路における伝送方向の反転要求を行った後に前記伝送路を開放し、前記他の機器からの反転許可に応答して前記伝送回路における伝送方向を反転させる伝送方向反転制御部と
を具備するインターフェース回路。
【請求項２】
前記伝送方向反転制御部は、前記伝送回路が前記他の機器に対してデータを送信する状態において、前記反転要求を前記他の機器に対して行う請求項１記載のインターフェース回路。
【請求項３】
前記伝送方向反転制御部は、前記伝送回路が前記他の機器に対してデータを送信する状態において、前記他の機器から前記反転要求の依頼を受けた場合に前記他の機器に対する前記反転要求を行う請求項１記載のインターフェース回路。
【請求項４】
前記伝送回路は、前記伝送路からの差動入力と交流結合する増幅器を備える請求項１記載のインターフェース回路。
【請求項５】
伝送路を介して他の機器との間で伝送を行う伝送回路と、
前記他の機器からの前記伝送路における伝送方向の反転要求に応答して前記伝送路を開放し、前記他の機器が再びアクセス可能になると前記他の機器に対して反転許可をするとともに前記伝送回路における伝送方向を反転させる伝送方向反転制御部と
を具備するインターフェース回路。
【請求項６】
前記伝送方向反転制御部は、前記伝送回路が前記他の機器からデータを受信する状態において、前記他の機器から前記反転要求を受ける請求項５記載のインターフェース回路。
【請求項７】
前記伝送方向反転制御部は、前記伝送回路が前記他の機器からデータを受信する状態において、前記他の機器に対して前記反転要求を依頼する請求項５記載のインターフェース回路。
【請求項８】
前記伝送回路は、前記伝送路への差動出力と交流結合する増幅器を備える請求項５記載のインターフェース回路。
【請求項９】
伝送路を介して互いに伝送を行う第１および第２の機器を具備する伝送システムであって、
前記第１の機器は、前記伝送路を介して前記第２の機器との間で伝送を行う第１の伝送回路と、前記第２の機器に対して前記伝送路における伝送方向の反転要求を行った後に前記伝送路を開放し、前記第２の機器からの反転許可に応答して前記第１の伝送回路における伝送方向を反転させる第１の伝送方向反転制御部とを備え、
前記第２の機器は、前記伝送路を介して前記第１の機器との間で伝送を行う第２の伝送回路と、前記第１の機器からの前記反転要求に応答して前記伝送路を開放し、前記第１の機器が再びアクセス可能になると前記第１の機器に対して前記反転許可をするとともに前記第２の伝送回路における伝送方向を反転させる第２の伝送方向反転制御部とを備える
伝送システム。
【請求項１０】
伝送回路から伝送路を介して伝送を行う対象である他の機器に対して前記伝送路における伝送方向の反転要求を行う手順と、
前記伝送路を開放する手順と、
前記他の機器からの反転許可に応答して前記伝送回路における伝送方向を反転させる手順と
を具備する伝送方向制御方法。
【請求項１１】
伝送回路から伝送路を介して伝送を行う対象である他の機器から前記伝送路における伝送方向の反転要求を受ける手順と、
前記伝送路を開放する手順と、
前記他の機器が再びアクセス可能になると前記他の機器に対して反転許可をするとともに前記伝送回路における伝送方向を反転させる手順と
を具備する伝送方向制御方法。
【請求項１２】
伝送回路から伝送路を介して伝送を行う対象である他の機器に対して前記伝送路における伝送方向の反転要求を行う手順と、
前記伝送路を開放する手順と、
前記他の機器からの反転許可に応答して前記伝送回路における伝送方向を反転させる手順と
をコンピュータに実行させるためのプログラム。
【請求項１３】
伝送回路から伝送路を介して伝送を行う対象である他の機器から前記伝送路における伝送方向の反転要求を受ける手順と、
前記伝送路を開放する手順と、
前記他の機器が再びアクセス可能になると前記他の機器に対して反転許可をするとともに前記伝送回路における伝送方向を反転させる手順と
をコンピュータに実行させるためのプログラム。
【発明の詳細な説明】
【技術分野】
【０００１】
本技術は、伝送路を介して機器間において伝送を行う伝送システムに関する。詳しくは、伝送路における伝送方向を制御するインターフェース回路、伝送システム、および、これらにおける処理方法ならびに当該方法をコンピュータに実行させるプログラムに関する。
【背景技術】
【０００２】
近年、音声信号や映像信号などのデジタル信号を扱うＡＶ（Audio/Visual）機器が普及するにつれて、これらＡＶ機器間においてデジタル信号を伝送するためのインターフェースとして様々な方式のものが提案されている。このようなインターフェースとしては、例えば、ＨＤＭＩ（High-Definition Multimedia Interface）規格（ＨＤＭＩは登録商標）が広く知られている。このＨＤＭＩのようなインターフェースにおいては、大容量のデータを高速伝送するために、単一方向のシリアル伝送路が用いられている（例えば、特許文献１参照。）。
【先行技術文献】
【特許文献】
【０００３】
【特許文献１】特開２００９−１３０６０６号公報
【発明の概要】
【発明が解決しようとする課題】
【０００４】
上述の従来技術では、単一方向のシリアル伝送路が用いられていた。したがって、双方向に高速伝送を行うためには、インターフェースを複数設ける必要があった。昨今、ネットワークを通じたコンテンツ提供が増加しており、例えばテレビ受信機がネットワークからコンテンツを取得して再生する際、その高品質オーディオをアンプ側に戻したいユースケースが出てきた。ＨＤＭＩにおいては既に、ＡＲＣ（Audio Return Channel）としてオーディオを逆方向に伝送する機能が定義されているが、広帯域を必要とするデータの伝送やマルチチャンネルＬＰＣＭの伝送には対応していない。【０００５】
本技術はこのような状況に鑑みて生み出されたものであり、シリアル伝送路の伝送方向を切り替えて双方向伝送を行うことを目的とする。
【課題を解決するための手段】
【０００６】
本技術は、上述の問題点を解消するためになされたものであり、その第１の側面は、伝送路を介して他の機器との間で伝送を行う伝送回路と、上記他の機器に対して上記伝送路における伝送方向の反転要求を行った後に上記伝送路を開放し、上記他の機器からの反転許可に応答して上記伝送回路における伝送方向を反転させる伝送方向反転制御部とを具備するインターフェース回路、その伝送方向制御方法およびプログラムである。これにより、伝送路における伝送方向の反転要求を行って、その伝送方向を反転させるという作用をもたらす。【０００７】
また、この第１の側面において、上記伝送方向反転制御部は、上記伝送回路が上記他の機器に対してデータを送信する状態において、上記反転要求を上記他の機器に対して行うようにしてもよい。また、上記伝送方向反転制御部は、上記伝送回路が上記他の機器に対してデータを送信する状態において、上記他の機器から上記反転要求の依頼を受けた場合に上記他の機器に対する上記反転要求を行うようにしてもよい。なお、上記伝送回路は、上記伝送路からの差動入力と交流結合する増幅器を備えてもよい。【０００８】
また、本技術の第２の側面は、伝送路を介して他の機器との間で伝送を行う伝送回路と、上記他の機器からの上記伝送路における伝送方向の反転要求に応答して上記伝送路を開放し、上記他の機器が再びアクセス可能になると上記他の機器に対して反転許可をするとともに上記伝送回路における伝送方向を反転させる伝送方向反転制御部とを具備するインターフェース回路、その伝送方向制御方法およびプログラムである。これにより、伝送路における伝送方向の反転要求に応答して、その伝送方向を反転させるという作用をもたらす。なお、上記伝送回路は、上記伝送路への差動出力と交流結合する増幅器を備えてもよい。【０００９】
また、この第２の側面において、上記伝送方向反転制御部は、上記伝送回路が上記他の機器からデータを受信する状態において、上記他の機器から上記反転要求を受けるようにしてもよい。また、上記伝送方向反転制御部は、上記伝送回路が上記他の機器からデータを受信する状態において、上記他の機器に対して上記反転要求を依頼するようにしてもよい。【００１０】
また、本技術の第３の側面は、伝送路を介して互いに伝送を行う第１および第２の機器を具備する伝送システムであって、上記第１の機器は、上記伝送路を介して上記第２の機器との間で伝送を行う第１の伝送回路と、上記第２の機器に対して上記伝送路における伝送方向の反転要求を行った後に上記伝送路を開放し、上記第２の機器からの反転許可に応答して上記第１の伝送回路における伝送方向を反転させる第１の伝送方向反転制御部とを備え、上記第２の機器は、上記伝送路を介して上記第１の機器との間で伝送を行う第２の伝送回路と、上記第１の機器からの上記反転要求に応答して上記伝送路を開放し、上記第１の機器が再びアクセス可能になると上記第１の機器に対して上記反転許可をするとともに上記第２の伝送回路における伝送方向を反転させる第２の伝送方向反転制御部とを備える伝送システムである。これにより、第１の機器が伝送路における伝送方向の反転要求を行って、第２の機器が反転許可を行うことにより、その伝送方向を反転させるという作用をもたらす。
【発明の効果】
【００１１】
本技術によれば、シリアル伝送路の伝送方向を切り替えて双方向伝送を行うことができるという優れた効果を奏し得る。なお、ここに記載された効果は必ずしも限定されるものではなく、本開示中に記載されたいずれかの効果であってもよい。
【図面の簡単な説明】
【００１２】
【図１】本技術の実施の形態における伝送システムの概念構成図である。
【図２】本技術の実施の形態におけるコネクタのピン配置例を示す図である。
【図３】本発明の実施の形態における伝送方向の反転制御に必要な機能構成例を示す図である。
【図４】本発明の実施の形態におけるＴＭＤＳ伝送回路１０１および２０１の構成例を示す図である。
【図５】本技術の実施の形態における機器Ａ１００の構成例を示す図である。
【図６】本技術の実施の形態における機器Ｂ２００の構成例を示す図である。
【図７】本発明の実施の形態におけるＴＭＤＳ伝送方向反転要求レジスタのフォーマット例を示す図である。
【図８】本発明の実施の形態におけるＴＭＤＳ伝送方向反転制御をソース機器が主導して行う場合の処理手順例を示す流れ図である。
【図９】本発明の実施の形態におけるＴＭＤＳ伝送方向反転制御をシンク機器が主導して行う場合の処理手順例を示す流れ図である。
【図１０】本技術の実施の形態におけるオーディオビジュアルシステムの構成例を示す図である。
【図１１】本技術の実施の形態におけるディスクプレイヤ５００の構成例を示す図である。
【図１２】本技術の実施の形態におけるテレビ受信機６００の構成例を示す図である。
【図１３】本技術の実施の形態におけるデジタルカメラ７００の構成例を示す図である。
【発明を実施するための形態】
【００１３】
以下、本技術を実施するための形態（以下、実施の形態と称する）について説明する。説明は以下の順序により行う。
１．実施の形態（伝送方向反転制御の例）
２．適用例
【００１４】
＜１．実施の形態＞
［インターフェース］
図１は、本技術の実施の形態における伝送システムの概念構成図である。この伝送システムは、ＨＤＭＩ規格を基本構成として、ＴＭＤＳ（Transition Minimized Differential Signaling）伝送の伝送方向を切り替える機能を有するものである。ＨＤＭＩ規格では、基本となる高速伝送ラインによる伝送方向を一方向に定めており、送信側の機器をソース機器、受信側の機器をシンク機器と呼んでいる。この例では、機器Ａ１００および機器Ｂ２００がケーブル３００により接続されている。機器Ａ１００がソース機器となる場合には機器Ｂ２００がシンク機器となり、機器Ｂ２００がソース機器となる場合には機器Ａ１００がシンク機器となる。
【００１５】
機器Ａ１００および機器Ｂ２００は、それぞれＴＭＤＳ伝送回路１０１および２０１を備える。機器Ａ１００がソース機器となる場合にはＴＭＤＳ伝送回路１０１がトランスミッタとして機能し、ＴＭＤＳ伝送回路２０１がレシーバとして機能する。一方、機器Ｂ２００がソース機器となる場合にはＴＭＤＳ伝送回路２０１がトランスミッタとして機能し、ＴＭＤＳ伝送回路１０１がレシーバとして機能する。なお、ＴＭＤＳ伝送回路１０１は、特許請求の範囲に記載の伝送回路または第１の伝送回路の一例である。また、ＴＭＤＳ伝送回路２０１は、特許請求の範囲に記載の伝送回路または第２の伝送回路の一例である。
【００１６】
ＴＭＤＳ伝送回路１０１と２０１との間の伝送には、ＴＭＤＳによるシリアル伝送方式が用いられる。ＨＤＭＩ規格と同様に、映像信号および音声信号は３つのＴＭＤＳチャンネル３１０乃至３３０を用いて伝送される。すなわち、ある垂直同期信号から次の垂直同期信号までの区間の内、水平帰線区間および垂直帰線区間を除いた区間である有効画像区間において、非圧縮の１画面分の画像の画素データに対応する差動信号が、ＴＭＤＳチャンネル３１０乃至３３０により、シンク機器に向けて一方向に送信される。また、水平帰線区間または垂直帰線区間においては、音声データ、制御データまたはその他の補助データ等に対応する差動信号が、ＴＭＤＳチャンネル３１０乃至３３０により、シンク機器に向けて一方向に送信される。
【００１７】
また、ＨＤＭＩ規格と同様に、クロック信号がＴＭＤＳクロックチャンネル３４０により伝送される。ＴＭＤＳチャンネル３１０乃至３３０の各々では、ＴＭＤＳクロックチャンネル３４０により伝送される１クロックの間に、１０ビット分の画素データを送信することが想定される。
【００１８】
また、ＨＤＭＩ規格と同様に、ディスプレイデータチャンネル（ＤＤＣ：Display Data Channel）３５０が設けられる。このディスプレイデータチャンネル３５０は、本来、シンク機器におけるＥＤＩＤ  ＲＯＭ１８２または２８２に記憶されるＥ−ＥＤＩＤ情報をソース機器が読み出すために用いられる。Ｅ−ＥＤＩＤ（Enhanced Extended Display Identification Data）情報とは、シンク機器がディスプレイ装置である場合に、その機種、解像度、色の特性およびタイミングなどの設定や性能に関する情報を示すものである。このＥ−ＥＤＩＤ情報は、シンク機器のＥＤＩＤ  ＲＯＭ１８２または２８２に保持される。また、ディスプレイデータチャンネル３５０を介してアクセス可能なアドレス空間のレジスタとして、機器Ａ１００および機器Ｂ２００は、それぞれＤＤＣレジスタ１８３および２８３を備える。
【００１９】
さらに、ＨＤＭＩ規格と同様に、ＣＥＣ（Consumer Electronics Control）ライン３６１、Ｕｔｉｌｉｔｙライン３６２およびＨＰＤ（Hot Plug Detect）ライン３６３等が設けられる。ＣＥＣライン３６１は、機器制御信号の双方向通信を行うためのラインである。ディスプレイデータチャンネル３５０が機器間を１対１に接続するのに対して、このＣＥＣライン３６１はインターフェース上に接続される全機器において共有されて通信を行う。
【００２０】
ＨＰＤライン３６３は、ケーブル３００によって他の機器と接続されていること（ホットプラグ）を検知するためのラインである。このＨＰＤライン３６３における接続を検出する回路として、機器Ａ１００および機器Ｂ２００は、それぞれプラグ接続検出回路１２０および２２０を備える。ＨＤＭＩ１．４規格では、Ｕｔｉｌｉｔｙライン３６２およびＨＰＤライン３６３を用いて、シンク機器からソース機器にオーディオ信号を同相信号として伝送するＡＲＣ（Audio Return Channel）が定義されている。このＡＲＣを実現する回路として、機器Ａ１００および機器Ｂ２００は、それぞれ同相信号通信回路１６０および２６０を備える。
【００２１】
図２は、本技術の実施の形態におけるコネクタのピン配置例を示す図である。このピン配置例はＨＤＭＩ規格におけるタイプＡのピン番号３０１と信号名称３０２との対応関係に準じたものである。
【００２２】
ＴＭＤＳチャンネル３１０乃至３３０およびＴＭＤＳクロックチャンネル３４０は、それぞれ正極、シールドおよび負極の３ピンから構成されており、１乃至３番ピンがＴＭＤＳチャンネル３３０、４乃至６番ピンがＴＭＤＳチャンネル３２０、７乃至９番ピンがＴＭＤＳチャンネル３１０、１０乃至１２番ピンがＴＭＤＳクロックチャンネル３４０にそれぞれ対応している。
【００２３】
また、１３番ピンがＣＥＣライン３６１に、１４番ピンがＵｔｉｌｉｔｙライン３６２に、１９番ピンがＨＰＤライン３６３に、それぞれ対応している。また、ディスプレイデータチャンネル３５０は、シリアルクロック（ＳＣＬ）、シリアルデータ（ＳＤＡ）および接地（グランド）の３ピンから構成されており、１５乃至１７番ピンがそれぞれ対応する。なお、ディスプレイデータチャンネル３５０の接地（１７番ピン）は、ＣＥＣライン３６１の接地と共通化されている。１８番ピンは電源供給ライン（＋５Ｖ）に対応する。
【００２４】
［伝送方向の反転制御］
図３は、本発明の実施の形態における伝送方向の反転制御に必要な機能構成例を示す図である。
【００２５】
機器Ａ１００は、上述のようにＴＭＤＳ伝送回路１０１を備える。機器Ａ１００は、そのＴＭＤＳ伝送回路１０１における伝送方向を制御するために、伝送方向反転制御部１７０を備える。また、伝送方向反転制御部１７０における制御を行うために必要な情報を機器Ｂ２００とやりとりするために、上述のＤＤＣレジスタ１８３を用いる。また、機器Ｂ２００は、上述のようにＴＭＤＳ伝送回路２０１を備える。機器Ｂ２００は、そのＴＭＤＳ伝送回路２０１における伝送方向を制御するために、伝送方向反転制御部２７０を備える。また、伝送方向反転制御部２７０における制御を行うために必要な情報を機器Ａ１００とやりとりするために、上述のＤＤＣレジスタ２８３を用いる。
【００２６】
ＨＤＭＩ規格においてはＴＭＤＳチャンネル＃０（３１０）、＃１（３２０）、＃２（３３０）、および、ＴＭＤＳクロックチャンネル３４０（以下、これら４つを総称してＴＭＤＳチャンネルと呼ぶ。）の伝送方向は一方向に固定されている。これに対し、この実施の形態では、その伝送方向を適宜反転させることができるように構成される。すなわち、機器Ａ１００および機器Ｂ２００は、一方がソース機器の役割を有する場合には、他方がシンク機器の役割を有する。ＴＭＤＳチャンネルにおける伝送方向はソース機器からシンク機器に対して一方向に設定される。したがって、機器Ａ１００および機器Ｂ２００が互いの役割を切り替えると、ＴＭＤＳチャンネルにおける伝送方向は機器Ａ１００と機器Ｂ２００との間で反転することになる。
【００２７】
ＤＤＣレジスタ１８３および２８３は、ディスプレイデータチャンネル３５０を介してアクセス可能なレジスタである。この実施の形態では、このＤＤＣレジスタ１８３および２８３にＴＭＤＳ伝送方向反転要求レジスタを定義して、機器Ａ１００の伝送方向反転制御部１７０と機器Ｂ２００の伝送方向反転制御部２７０とからアクセスすることにより、伝送方向の反転制御を行う。これら伝送方向反転制御部１７０および２７０による制御手順の詳細については後述する。なお、伝送方向反転制御部１７０は、特許請求の範囲に記載の伝送方向反転制御部または第１の伝送方向反転制御部の一例である。また、伝送方向反転制御部２７０は、特許請求の範囲に記載の伝送方向反転制御部または第２の伝送方向反転制御部の一例である。
【００２８】
図４は、本発明の実施の形態におけるＴＭＤＳ伝送回路１０１および２０１の構成例を示す図である。ここでは、伝送路としてＴＭＤＳチャンネル＃０（３１０）に着目して説明する。このＴＭＤＳチャンネル＃０（３１０）は、正極信号線３１１と、負極信号線３１２と、シールド信号線３１３とからなる。なお、他のＴＭＤＳチャンネルについても同様である。
【００２９】
ＴＭＤＳ伝送回路１０１は、増幅器１１１および１１２と、直流バイアス回路１１３と、シールド端子１１４とを備える。増幅器１１１は、入力信号を増幅する増幅器である。この増幅器１１１の出力は差動信号になっており、正極信号線３１１には正極の信号が、負極信号線３１２には負極の信号がそれぞれ供給される。増幅器１１２は、ＴＭＤＳチャンネルからの信号を増幅する増幅器である。この増幅器１１２は、差動入力により動作し、正極の入力には正極信号線３１１が、負極の入力には負極信号線３１２がそれぞれ入力される。直流バイアス回路１１３は、差動信号ラインであるＴＭＤＳチャンネルにバイアス電圧をかける回路である。この直流バイアス回路１１３は、ＨＤＭＩ規格では、差動信号を受け取るレシーバ側に設けられる。シールド端子１１４は、接地するための端子であり、シールド信号線３１３に接続される。
【００３０】
ＴＭＤＳ伝送回路２０１は、増幅器２１１および２１２と、直流バイアス回路２１３と、シールド端子２１４とを備える。これらの構成はＴＭＤＳ伝送回路１０１と同様である。この例では、直流バイアス回路１１３および２１３の両者を設ける構成としているが、一方のみに設けるようにすることも可能である。
【００３１】
なお、ＴＭＤＳ伝送回路１０１のデフォルトの構成がソース機器の場合、増幅器１１２はコンデンサ１１５を介して差動入力と交流結合（ＡＣ結合）されてもよい。これにより、デフォルト動作時の伝送路負荷を軽減させることができる。同様に、ＴＭＤＳ伝送路２０１のデフォルトの構成がシンク機器の場合、増幅器２１２はコンデンサ２１５を介して差動出力と交流結合（ＡＣ結合）されてもよい。これにより、デフォルト動作時の伝送路負荷を軽減させることができる。
【００３２】
図５は、本技術の実施の形態における機器Ａ１００の構成例を示す図である。図６は、本技術の実施の形態における機器Ｂ２００の構成例を示す図である。ここでは、機器Ａ１００および機器Ｂ２００が、ＳＣＬライン３５１およびＳＤＡライン３５２により接続される様子を示している。なお、ここでは、グランドラインを省略している。
【００３３】
機器Ａ１００は、処理部１８１と、ＤＤＣレジスタ１８３と、セレクタ１８４と、ドライバ１８５乃至１８７とを備えている。同様に、機器Ｂ２００は、処理部２８１と、ＤＤＣレジスタ２８３と、セレクタ２８４と、ドライバ２８５乃至２８７とを備えている。
【００３４】
機器Ａ１００から機器Ｂ２００にデータ伝送する場合、機器Ａ１００がマスターとなり、処理部１８１から伝送方向信号ＤＩＲとして「１」が出力される。これにより、ドライバ１８５が動作し、ドライバ１８６の出力がハイインピーダンスとなる。そのため、処理部１８１からのクロック信号ＣＬＫがＳＣＬライン３５１に出力される。また、セレクタ１８４は、処理部１８１からのデータ信号ＤＡＴＡを選択する。そのため、ドライバ１８７を介してデータ信号ＤＡＴＡがＳＤＡライン３５２に出力される。
【００３５】
この場合において、機器Ｂ２００はスレーブとなり、処理部２８１から伝送方向信号ＤＩＲとして「０」が出力される。これにより、ドライバ２８６が動作し、ドライバ２８５の出力がハイインピーダンスとなる。そのため、ＳＣＬライン３５１の値がクロック信号ＣＫとしてＤＤＣレジスタ２８３に入力される。また、セレクタ２８４は、ＳＤＡライン３５２の値をデータ信号ＤとしてＤＤＣレジスタ２８３に接続される。そのため、ＤＤＣレジスタ２８３は、クロック信号ＣＫに従って、データ信号Ｄを保持または出力する。
【００３６】
一方、機器Ｂ２００から機器Ａ１００にデータ伝送する場合、機器Ｂ２００がマスターとなり、処理部２８１から伝送方向信号ＤＩＲとして「１」が出力される。また、この場合、機器Ａ１００がスレーブとなり、処理部１８１から伝送方向信号ＤＩＲとして「０」が出力される。すなわち、機器Ａ１００および機器Ｂ２００が上述の場合とは逆の動作を行う。
【００３７】
このようにして、ディスプレイデータチャンネル３５０が双方向化されることにより、機器Ａ１００および機器Ｂ２００の間において、ＴＭＤＳチャンネルの伝送方向反転制御に必要な情報のやりとりが可能となる。
【００３８】
［ＴＭＤＳ伝送方向反転要求レジスタ］
図７は、本発明の実施の形態におけるＴＭＤＳ伝送方向反転要求レジスタのフォーマット例を示す図である。このＴＭＤＳ伝送方向反転要求レジスタは、ＤＤＣレジスタ１８３および２８３にそれぞれ定義される。このＴＭＤＳ伝送方向反転要求レジスタが有効であり、ＴＭＤＳチャンネルの伝送方向を反転させる機能を有するか否かは、ＥＤＩＤ等のＣａｐａｂｉｌｉｔｙ宣言データ構造において定義される。したがって、ＥＤＩＤ  ＲＯＭ１８２および２８２を参照することにより、本機能を有するか否かを判断することができる。
【００３９】
同図におけるａに示されるように、ＴＭＤＳ伝送方向反転要求レジスタは、ＤＤＣレジスタ１８３および２８３のオフセット「０ｘ０Ｘ」に定義されるものとしている。また、アクセスの属性としては、読出し（Ｒｅａｄ）および書込み（Ｗｒｉｔｅ）の両者が可能となっている。
【００４０】
同図におけるｂに示されるように、ＴＭＤＳ伝送方向反転要求レジスタは、ＴＭＤＳ伝送方向反転要求フラグ（ＲｅｖＲｅｑ）を有する。伝送方向を順方向から逆方向に遷移させる際には、シンク機器に実装されるＴＭＤＳ伝送方向反転要求レジスタのＴＭＤＳ伝送方向反転要求フラグが用いられる。一方、伝送方向を逆方向から順方向に遷移させる際には、ソース機器に実装されるＴＭＤＳ伝送方向反転要求レジスタのＴＭＤＳ伝送方向反転要求フラグが用いられる。
【００４１】
ＴＭＤＳ伝送方向反転要求フラグがシンク機器によってセットされた場合には、このＴＭＤＳ伝送方向反転要求フラグはソース機器からの読出し後にシンク機器がクリアする。また、このＴＭＤＳ伝送方向反転要求フラグは、ソース機器によってセットされた時点で、アクティベートが完了する。
【００４２】
なお、同図におけるｃに示されるように、シンク機器に設けられるＴＭＤＳ伝送方向反転要求フラグ（ＲｅｖＲｅｑ）と、ソース機器に設けられるＴＭＤＳ伝送方向反転要求フラグ（ＲｅｖＲｅｑＲｅｔｕｒｎ）とを別々に割り当てるようにしてもよい。
【００４３】
［動作］
図８は、本発明の実施の形態におけるＴＭＤＳ伝送方向反転制御をソース機器が主導して行う場合の処理手順例を示す流れ図である。ここでは、機器Ａ１００がソース機器として動作し、機器Ｂ２００がシンク機器として動作していた場合に、ソース機器としての機器Ａ１００が主導して伝送方向を反転させる場合を想定する。
【００４４】
まず、機器Ａ１００は、ディスプレイデータチャンネル３５０を介して機器Ｂ２００のＥＤＩＤ  ＲＯＭ２８２を参照することにより、機器Ｂ２００がＴＭＤＳ伝送方向反転制御機能に対応しているか否かを確認する（ステップＳ９１１）。その結果、機器Ｂ２００がＴＭＤＳ伝送方向反転制御機能に対応していなければ、伝送方向の反転はできないものとして、処理を終了する（ステップＳ９１２：Ｎｏ）。機器Ｂ２００がＴＭＤＳ伝送方向反転制御機能に対応していれば（ステップＳ９１２：Ｙｅｓ）、以下の処理を行う。
【００４５】
機器Ａ１００は、機器Ｂ２００のＤＤＣレジスタ２８３におけるＴＭＤＳ伝送方向反転要求レジスタのＴＭＤＳ伝送方向反転要求フラグをセットすることにより、反転のアクティベートを要求する（ステップＳ９１３）。この要求後、機器Ａ１００は、ディスプレイデータチャンネル３５０およびＴＭＤＳチャンネルを開放し、各信号ラインのドライブを停止する（ステップＳ９２１）。機器Ａ１００からの反転要求を検知した機器Ｂ２００も、同様に、ディスプレイデータチャンネル３５０およびＴＭＤＳチャンネルを開放し、各信号ラインのドライブを停止する（ステップＳ９２１）。これにより、機器Ａ１００および機器Ｂ２００はそれぞれの構成を変更して、機器Ｂ２００がソース機器、機器Ａ１００がシンク機器として構成される。
【００４６】
機器Ａ１００がシンク機器として構成された後、ＨＰＤライン３６３をアサートする（ステップＳ９２２）。これにより、機器Ａ１００のＥＤＩＤ  ＲＯＭ１８２に対するアクセスが可能になった旨が、機器Ｂ２００に通知される。
【００４７】
機器Ａ１００は、機器Ｂ２００からＥＤＩＤ  ＲＯＭ１８２に対してアクセスが開始されるまで待機する（ステップＳ９２３）。機器Ｂ２００からＥＤＩＤ  ＲＯＭ１８２に対してアクセスがあれば、機器Ｂ２００がソース機器として構成変更されたことを検知することができる。ＥＤＩＤ  ＲＯＭ１８２に対してアクセスが行われるまで所定の時間を経過した場合には（ステップＳ９２４：Ｙｅｓ）、機器Ｂ２００がソース機器として構成変更されなかったと判断する。この場合、機器Ａ１００は反転のアクティベート要求を取り消して、機器Ａ１００もソース機器としての構成に戻る（ステップＳ９２８）。その後、機器Ａ１００は機器Ｂ２００がＨＰＤライン３６３をアサートすることを待って、この処理を終了する。
【００４８】
所定の時間内に機器Ｂ２００からＥＤＩＤ  ＲＯＭ１８２に対してアクセスがあると（ステップＳ９２４：Ｎｏ）、それに引き続きＤＤＣレジスタ１８３におけるＴＭＤＳ伝送方向反転要求フラグがセットされているか否かが確認される（ステップＳ９２５）。このとき、一定時間を経過しても確認ができない場合には（ステップＳ９２６：Ｎｏ）、上述と同様に、機器Ａ１００は反転のアクティベート要求を取り消して、機器Ａ１００もソース機器としての構成に戻る（ステップＳ９２８）。
【００４９】
ＤＤＣレジスタ１８３におけるＴＭＤＳ伝送方向反転要求フラグがセットされていた場合には（ステップＳ９２６：Ｙｅｓ）、機器Ｂ２００はソース機器となり、機器Ａ１００をシンク機器として伝送を開始する（ステップＳ９２７）。
【００５０】
図９は、本発明の実施の形態におけるＴＭＤＳ伝送方向反転制御をシンク機器が主導して行う場合の処理手順例を示す流れ図である。ここでは、機器Ａ１００がソース機器として動作し、機器Ｂ２００がシンク機器として動作していた場合に、シンク機器としての機器Ｂ２００が主導して伝送方向を反転させる場合を想定する。この処理は、例えば、ユーザが機器Ｂ２００のリモートコントローラを用いてコンテンツ再生を指示した場合や、機器Ａ１００の電源が投入されて新たに機器Ａ１００において音声を再生することが指示された場合などに開始される。
【００５１】
機器Ｂ２００はシンク機器として、ＤＤＣ通信上のスレーブとなっているため、まず、自身に実装されているＴＭＤＳ伝送方向反転要求レジスタのＴＭＤＳ伝送方向反転要求フラグに自身で値をセットする（ステップＳ９３１）。その後、機器Ｂ２００は、機器Ｂ２００のＴＭＤＳ伝送方向反転要求レジスタの読出し要求を、機器Ａ１００に対して行う（ステップＳ９３２）。この読出し要求は、ＤＤＣ通信路以外の通信手段を用いてもよく、また、ＤＤＣ通信路上で予め機器Ａ１００と機器Ｂ２００との間で認識が可能なＩ２Ｃ通信で規定されていない特殊な信号をやり取りすることによって実現してもよい。
【００５２】
その後、機器Ｂ２００は、機器Ａ１００によってＴＭＤＳ伝送方向反転要求レジスタが読み出されるまで待機する（ステップＳ９３３）。このとき、一定時間を経過しても読出しが行われない場合には（ステップＳ９３４：Ｙｅｓ、Ｓ９３５：Ｎｏ）、このアクティベートプロセスが失敗したとして処理を終了する。この場合、ユーザに対して、例えば、伝送方向反転機能の利用ができない旨のメッセージを、ディスプレイ上に表示するようにしてもよい。また、処理を終了せずに、機器Ｂ２００が再度読出し要求をするようにしてもよい。
【００５３】
機器Ａ１００からの読出しがあった場合には、機器Ａ１００が機器Ｂ２００からのアクティベート要求を受理したものと判断して、機器Ｂ２００は自身がセットしたＴＭＤＳ伝送方向反転要求フラグをクリアする（ステップＳ９３６）。
【００５４】
機器Ａ１００は自身の能力を鑑みて、機器Ｂ２００からの要求に対して回答を機器Ｂ２００のＴＭＤＳ伝送方向反転要求レジスタにアクティベート要求フラグをセットすることによって通知する。なお、このレジスタは上述のレジスタと同じものでもよく、また、独自に異なるアドレスとして備えてもよい。
【００５５】
機器Ｂ２００は機器Ａ１００がアクティベート要求に対する回答としてレジスタへの書込みを行うまで待機する（ステップＳ９３７）。このとき、一定時間を経過しても書込みが行われない場合には（ステップＳ９３８：Ｙｅｓ、Ｓ９３９：Ｎｏ）、機器Ａ１００がＴＭＤＳ伝送方向反転機能に対応していないと判断して、処理を終了する。この場合、ユーザに対して、ディスプレイ上に何らかのメッセージを表示してもよい。
【００５６】
機器Ａ１００からの書込みがあった場合には（ステップＳ９３９：Ｙｅｓ）、機器Ａ１００との間でのアクティベーションが完了したものと判断して、ステップＳ９４１以降の処理が実行される。ステップＳ９４１以降の処理は、図８により説明した処理のステップＳ９２１以降の処理と同様であるため、ここでは説明を省略する。
【００５７】
このように、本技術の実施の形態によれば、ディスプレイデータチャンネル３５０を用いてＴＭＤＳ伝送方向反転の要求およびその応答を行うことにより、ＴＭＤＳチャンネルの伝送方向の反転制御を行うことができる。
【００５８】
＜２．適用例＞
上述の実施の形態では、ＨＤＭＩ規格をベースとした伝送方向反転制御について説明したが、本技術は他の構成においても適用可能である。ここではその適用例として、オーディオビジュアルシステム、ディスクプレイヤ、テレビ受信機およびデジタルカメラの構成例について説明する。
【００５９】
図１０は、本技術の実施の形態におけるオーディオビジュアルシステムの構成例を示す図である。このオーディオビジュアルシステムは、同図におけるａに示されるように、ディスクプレイヤ１０と、オーディオアンプ２０と、テレビ受信機３０とを備える。
【００６０】
同図におけるｂに示されるように、ディスクプレイヤ１０は、ディスク媒体に記録されたコンテンツを再生して、ビデオ信号およびオーディオ信号を生成する。そして、オーディオ信号はオーディオアンプ２０によって再生されて、（図示しない）スピーカから音声が出力される。また、ビデオ信号はテレビ受信機３０によって再生されて、テレビ受信機３０のディスプレイ上に表示される。この場合、ディスクプレイヤ１０がソース機器となり、オーディオアンプ２０およびテレビ受信機３０はシンク機器として動作する。
【００６１】
これに対し、テレビ受信機３０において受信した放送信号を再生する場合、同図におけるｃに示されるように、ビデオ信号はテレビ受信機３０においてそのまま再生され、オーディオ信号はオーディオアンプ２０において再生されることが要求される場合がある。このとき、オーディオ信号に着目すると、テレビ受信機３０がソース機器となり、オーディオアンプ２０がシンク機器として動作することになる。そのため、従来のＨＤＭＩ規格のインターフェースでは伝送方向が異なるため、接続を物理的に解除することなくそのような要求に応じることはできない。この点、本技術の実施の形態によれば、接続を物理的に解除することなく伝送方向を反転することができるため、テレビ受信機３０から供給されたオーディオ信号をオーディオアンプ２０において再生することができる。
【００６２】
図１１は、本技術の実施の形態におけるディスクプレイヤ５００の構成例を示す図である。このディスクプレイヤ５００は、プロセッサ５１１と、フラッシュＲＯＭ５１２と、ＳＤＲＡＭ５１３と、表示制御部５１４とを備える。また、このディスクプレイヤ５００は、ＳＡＴＡインターフェース５２１と、ＢＤドライブ５２２と、イーサネット（登録商標）インターフェース５２３と、ネットワーク端子５２４とを備える。また、このディスクプレイヤ５００は、高速バスインターフェース５２５と、ＨＤＭＩ送信部５２６と、ＨＤＭＩ端子５２７と、リモコン受信部５２９とを備える。また、このディスクプレイヤ５００は、ＭＰＥＧデコーダ５３３と、映像出力端子５３８と、音声出力端子５３９とを備える。また、このディスクプレイヤ５００は、グラフィック生成回路５４２と、パネル駆動回路５４３と、表示パネル５４４とを備える。プロセッサ５１１、フラッシュＲＯＭ５１２、ＳＤＲＡＭ５１３、表示制御部５１４、ＳＡＴＡインターフェース５２１、イーサネットインターフェース５２３、ＭＰＥＧデコーダ５３３は、バス５１０によって相互に接続される。
【００６３】
プロセッサ５１１は、ディスクプレイヤ５００の全体を制御するものである。フラッシュＲＯＭ５１２は、プロセッサ５１１の動作に必要なプログラム等を記憶するメモリである。ＳＤＲＡＭ５１３は、プロセッサ５１１の動作に必要なデータ等を記憶するメモリである。
【００６４】
ＳＡＴＡインターフェース５２１は、シリアルＡＴＡを接続するためのインターフェースである。ＢＤドライブ５２２は、ブルーレイディスク（Blu-ray（登録商標）Disc）を駆動するためのディスクドライブである。イーサネットインターフェース５２３は、イーサネットを接続するためのインターフェースである。ネットワーク端子５２４は、イーサネットを接続するための端子である。
【００６５】
高速バスインターフェース５２５は、ＨＤＭＩ規格のＵｔｉｌｉｔｙライン３６２およびＨＰＤライン３６３である。ＨＤＭＩ送信部５２６は、ＨＤＭＩ規格のインターフェースに対する送信回路である。ＨＤＭＩ端子５２７は、ＨＤＭＩ規格に整合する端子である。
【００６６】
リモコン受信部５２９は、ユーザの操作する（図示しない）リモコンからの信号を受信するものである。
【００６７】
ＭＰＥＧデコーダ５３３は、ＭＰＥＧ規格に準ずる信号を復号するデコーダである。映像出力端子５３８は、映像信号を出力する端子である。音声出力端子５３９は、音声信号を出力する端子である。
【００６８】
表示制御部５１４は、表示パネル５４４における表示に必要な制御を行うものである。グラフィック生成回路５４２は、表示パネル５４４に表示するためのグラフィック画像を生成するものである。パネル駆動回路５４３は、表示パネル５４４を駆動するための回路である。表示パネル５４４は、映像を表示するパネルである。ここでは、表示パネル５４４を内蔵するディスクプレイヤ５００を想定したが、表示パネル５４４を内蔵しないものも考えられる。
【００６９】
高速バスインターフェース５２５は、イーサネットインターフェース５２３とＨＤＭＩ端子５２７との間に挿入される。この高速バスインターフェース５２５は、プロセッサ５１１から供給される送信データを、ＨＤＭＩ端子５２７からＨＤＭＩケーブルを介して相手側の機器に送信する。また、この高速バスインターフェース５２５は、ＨＤＭＩケーブルからＨＤＭＩ端子５２７を介して相手側の機器から受信された受信データをプロセッサ５１１に供給する。
【００７０】
コンテンツ記録時には、（図示しない）デジタルチューナを介して、イーサネットインターフェース５２３を介して、または、高速バスインターフェース５２５を介して、記録すべきコンテンツデータが取得される。このコンテンツデータは、ＳＡＴＡインターフェース５２１に入力され、ＢＤドライブ５２２によってＢＤに記録される。このコンテンツデータは、ＳＡＴＡインターフェース５２１に接続された、（図示しない）ＨＤＤ（ハードディスクドライブ）に記録されてもよい。
【００７１】
コンテンツ再生時には、ＢＤドライブ５２２によりＢＤから再生されたコンテンツデータ（ＭＰＥＧストリーム）は、ＳＡＴＡインターフェース５２１を介してＭＰＥＧデコーダ５３３に供給される。ＭＰＥＧデコーダ５３３では、再生されたコンテンツデータに対してデコード処理が行われ、ベースバンドの画像および音声のデータが得られる。画像データは、グラフィック生成回路５４２を通じて映像出力端子５３８に出力される。また、音声データは、音声出力端子５３９に出力される。
【００７２】
また、コンテンツ再生時には、ＭＰＥＧデコーダ５３３で得られた画像データが、ユーザ操作に応じて、グラフィック生成回路５４２を通じてパネル駆動回路５４３に供給され、表示パネル５４４に再生画像が表示される。また、ＭＰＥＧデコーダ５３３で得られた音声データが、ユーザ操作に応じて、（図示しない）スピーカに供給され、再生画像に対応した音声が出力される。
【００７３】
また、このコンテンツ再生時に、ＭＰＥＧデコーダ５３３で得られた画像および音声のデータをＨＤＭＩのＴＭＤＳチャンネルで送信する場合には、これら画像および音声のデータは、ＨＤＭＩ送信部５２６に供給されてパッキングされる。そして、このＨＤＭＩ送信部５２６からＨＤＭＩ端子５２７に、画像および音声のデータが出力される。
【００７４】
また、コンテンツ再生時に、ＢＤドライブ５２２で再生されたコンテンツデータをネットワークに送出する際には、このコンテンツデータは、イーサネットインターフェース５２３を介して、ネットワーク端子５２４に出力される。同様に、コンテンツ再生時に、ＢＤドライブ５２２で再生されたコンテンツデータをＨＤＭＩケーブルの双方向通信路に送出する際には、そのコンテンツデータは、高速バスインターフェース５２５を介して、ＨＤＭＩ端子５２７に出力される。ここで、画像データを出力する前に、著作権保護技術、例えばＨＤＣＰ、ＤＴＣＰ、ＤＴＣＰ＋などを用いて暗号化してから伝送してもよい。
【００７５】
図１２は、本技術の実施の形態におけるテレビ受信機６００の構成例を示す図である。このテレビ受信機６００は、プロセッサ６１１と、フラッシュＲＯＭ６１２と、ＳＤＲＡＭ６１３と、表示制御部６１４とを備える。また、このテレビ受信機６００は、イーサネットインターフェース６２３と、ネットワーク端子６２４とを備える。また、このテレビ受信機６００は、高速バスインターフェース６２５と、ＨＤＭＩ受信部６２６と、ＨＤＭＩ端子６２７と、リモコン受信部６２９とを備える。また、このテレビ受信機６００は、アンテナ端子６３１と、デジタルチューナ６３２と、ＭＰＥＧデコーダ６３３とを備える。また、このテレビ受信機６００は、映像信号処理回路６４１と、グラフィック生成回路６４２と、パネル駆動回路６４３と、表示パネル６４４とを備える。また、このテレビ受信機６００は、音声信号処理回路６５１と、音声増幅回路６５３と、スピーカ６５４とを備える。プロセッサ６１１、フラッシュＲＯＭ６１２、ＳＤＲＡＭ６１３、表示制御部６１４、イーサネットインターフェース６２３、高速バスインターフェース６２５、および、ＭＰＥＧデコーダ６３３は、バス６１０によって相互に接続される。
【００７６】
プロセッサ６１１は、テレビ受信機６００の全体を制御するものである。フラッシュＲＯＭ６１２は、プロセッサ６１１の動作に必要なプログラム等を記憶するメモリである。ＳＤＲＡＭ６１３は、プロセッサ６１１の動作に必要なデータ等を記憶するメモリである。表示制御部６１４は、表示パネル６４４における表示に必要な制御を行うものである。
【００７７】
イーサネットインターフェース６２３は、イーサネットを接続するためのインターフェースである。ネットワーク端子６２４は、イーサネットを接続するための端子である。高速バスインターフェース６２５は、ＨＤＭＩ規格のＵｔｉｌｉｔｙライン３６２およびＨＰＤライン３６３である。ＨＤＭＩ受信部６２６は、ＨＤＭＩ規格のインターフェースに対する送信回路である。ＨＤＭＩ端子６２７は、ＨＤＭＩ規格に整合する端子である。
【００７８】
リモコン受信部６２９は、ユーザの操作する（図示しない）リモコンからの信号を受信するものである。
【００７９】
アンテナ端子６３１は、（図示しない）受信アンテナによって受信されたテレビ放送信号を入力する端子である。デジタルチューナ６３２は、アンテナ端子６３１に入力されたテレビ放送信号を処理して、ユーザの選択チャネルに対応した所定のトランスポートストリームから、パーシャルＴＳを抽出するものである。
【００８０】
ＭＰＥＧデコーダ６３３は、ＭＰＥＧ規格に準ずる信号を復号するデコーダである。ＭＰＥＧデコーダ６３３は、デジタルチューナ６３２において得られる映像データのＴＳパケットにより構成される映像ＰＥＳパケットに対してデコード処理を行って画像データを得る。また、ＭＰＥＧデコーダ６３３は、デジタルチューナ６３２で得られる音声データのＴＳパケットにより構成される音声ＰＥＳパケットに対してデコード処理を行って音声データを得る。
【００８１】
映像信号処理回路６４１およびグラフィック生成回路６４２は、ＭＰＥＧデコーダ６３３において得られた画像データ、または、ＨＤＭＩ受信部６２６において受信された画像データに対して必要に応じて信号処理を行うものである。この信号処理としては、例えば、スケーリング処理（解像度変換処理）、グラフィックスデータの重畳処理、ＷＣＧ画像のガンマ補正等が想定される。パネル駆動回路６４３は、グラフィック生成回路６４２から出力される映像（画像）データに基づいて、表示パネル６４４を駆動するための回路である。表示パネル６４４は、映像を表示するパネルである。この表示パネル６４４は、例えば、ＬＣＤ（Liquid Crystal Display）、ＰＤＰ（Plasma Display Panel）、有機ＥＬ（Organic Electro-Luminescence）パネル等によって構成され得る。
【００８２】
なお、この実施の形態では、プロセッサ６１１の他に表示制御部６１４を有する例を示しているが、表示パネル６４４における表示をプロセッサ６１１が直接制御するようにしてもよい。また、プロセッサ６１１と表示制御部６１４は、１つのチップにより構成されてもよく、また、複数コアであってもよい。
【００８３】
音声信号処理回路６５１は、ＭＰＥＧデコーダ６３３において得られた音声データに対してＤ／Ａ変換等の必要な処理を行うものである。音声増幅回路６５３は、音声信号処理回路６５１から出力される音声信号を増幅してスピーカ６５４に供給するものである。なお、スピーカ６５４は、モノラルでもステレオでもよい。また、スピーカ６５４は、１つでもよく、２つ以上でもよい。また、スピーカ６５４は、イヤホン、ヘッドホンでもよい。また、スピーカ６５４は、２．１チャネルや、５．１チャネルなどに対応するものであってもよい。また、スピーカ６５４は、テレビ受信機６００と無線で接続してもよい。また、スピーカ６５４は、他機器であってもよい。
【００８４】
アンテナ端子６３１に入力されたテレビ放送信号は、デジタルチューナ６３２に供給される。このデジタルチューナ６３２では、テレビ放送信号を処理して、ユーザの選択チャネルに対応した所定のトランスポートストリームが出力される。そして、トランスポートストリームから、パーシャルＴＳ（映像データのＴＳパケット、音声データのＴＳパケット）が抽出され、このパーシャルＴＳはＭＰＥＧデコーダ６３３に供給される。
【００８５】
ＭＰＥＧデコーダ６３３では、映像データのＴＳパケットにより構成される映像ＰＥＳパケットに対してデコード処理が行われて映像データが得られる。この映像データは、映像信号処理回路６４１およびグラフィック生成回路６４２において、必要に応じて、スケーリング処理（解像度変換処理）、グラフィックスデータの重畳処理等が行われた後に、パネル駆動回路６４３に供給される。そのため、表示パネル６４４には、ユーザの選択チャネルに対応した画像が表示される。
【００８６】
また、ＭＰＥＧデコーダ６３３では、音声データのＴＳパケットにより構成される音声ＰＥＳパケットに対してデコード処理が行われて音声データが得られる。この音声データは、音声信号処理回路６５１においてＤ／Ａ変換等の必要な処理が行われ、さらに、音声増幅回路６５３で増幅された後に、スピーカ６５４に供給される。そのため、スピーカ６５４から、ユーザの選択チャネルに対応した音声が出力される。
【００８７】
また、ネットワーク端子６２４からイーサネットインターフェース６２３に供給され、または、ＨＤＭＩ端子６２７から高速バスインターフェース６２５を介して供給されるコンテンツデータ（画像データ、音声データ）は、ＭＰＥＧデコーダ６３３に供給される。それ以降は、上述のテレビ放送信号の受信時と同様の動作となり、表示パネル６４４に画像が表示され、スピーカ６５４から音声が出力される。
【００８８】
また、ＨＤＭＩ受信部６２６では、ＨＤＭＩ端子６２７にＨＤＭＩケーブルを介して接続されているディスクプレイヤ５００から送信される画像データおよび音声データが取得される。画像データは、映像信号処理回路６４１に供給される。また、音声データは、直接、音声信号処理回路６５１に供給される。それ以降は、上述のテレビ放送信号の受信時と同様の動作となり、表示パネル６４４に画像が表示され、スピーカ６５４から音声が出力される。
【００８９】
図１３は、本技術の実施の形態におけるデジタルカメラ７００の構成例を示す図である。このデジタルカメラ７００は、システム制御プロセッサ７１１と、フラッシュＲＯＭ７１２と、ＳＤＲＡＭ７１３と、表示制御部７１４とを備える。また、このデジタルカメラ７００は、高速バスインターフェース７２５と、ＨＤＭＩ送信部７２６と、ＨＤＭＩ端子７２７と、ユーザ操作部７２８とを備える。また、このデジタルカメラ７００は、グラフィック生成回路７４２と、パネル駆動回路７４３と、表示パネル７４４とを備える。また、このデジタルカメラ７００は、イメージャ７５１と、イメージャドライバ７５２と、カメラ制御部７５３とを備える。また、このデジタルカメラ７００は、撮像信号処理回路７５４と、マイクロフォン７５５と、音声信号処理回路７５６と、静止画像信号処理回路７５７と、動画像信号処理回路７５８と、記録再生部７５９と、メモリカード７６０とを備える。
【００９０】
システム制御プロセッサ７１１は、デジタルカメラ７００の全体を制御するものである。フラッシュＲＯＭ７１２は、システム制御プロセッサ７１１の動作に必要なプログラム等を記憶するメモリである。ＳＤＲＡＭ７１３は、システム制御プロセッサ７１１の動作に必要なデータ等を記憶するメモリである。表示制御部７１４は、表示パネル７４４における表示に必要な制御を行うものである。
【００９１】
高速バスインターフェース７２５は、ＨＤＭＩ規格のＵｔｉｌｉｔｙライン３６２およびＨＰＤライン３６３である。ＨＤＭＩ送信部７２６は、ＨＤＭＩ規格のインターフェースに対する送信回路である。ＨＤＭＩ端子７２７は、ＨＤＭＩ規格に整合する端子である。
【００９２】
ユーザ操作部７２８は、ユーザからの操作を受け付けるものである。このユーザ操作部７２８は、例えば、スイッチ、ホイール、近接／タッチにより指示入力を行うタッチパネル部、マウス、キーボード、カメラで指示入力を検出するジェスチャ入力部、音声により指示入力を行う音声入力部、さらにはリモートコントロールなどであってもよい。システム制御プロセッサ７１１は、ユーザ操作部７２８の操作状態を判断し、デジタルカメラ７００の動作を制御する。ユーザは、ユーザ操作部７２８により、撮像（記録）操作、再生操作の他に、各種付加情報の入力操作等を行うことができる。
【００９３】
グラフィック生成回路７４２は、表示パネル７４４に表示するためのグラフィック画像を生成するものである。パネル駆動回路７４３は、表示パネル７４４を駆動するための回路である。表示パネル７４４は、映像を表示するパネルである。
【００９４】
イメージャ７５１は、受光した光信号を電気信号に変換する光電変換素子である。イメージャドライバ７５２は、イメージャ７５１を駆動するドライバである。カメラ制御部７５３は、イメージャドライバ７５２および撮像信号処理回路７５４を制御するものである。撮像信号処理回路７５４は、イメージャ７５１から供給された電気信号を撮像信号として信号処理を行うものである。
【００９５】
マイクロフォン７５５は、周囲の音声を変換して音声信号を生成するものである。
音声信号処理回路７５６は、マイクロフォン７５５によって生成された音声信号について信号処理を行うものである。
【００９６】
静止画像信号処理回路７５７は、撮像信号処理回路７５４から供給された静止画像信号について信号処理を行うものである。動画像信号処理回路７５８は、撮像信号処理回路７５４および音声信号処理回路７５６から供給された動画像信号について信号処理を行うものである。
【００９７】
記録再生部７５９は、メモリカード７６０やフラッシュＲＯＭ７１２などにアクセスして、静止画像データまたは動画像データを読み書きするものである。メモリカード７６０は、静止画像データまたは動画像データを記録する記録媒体である。
【００９８】
イメージャ７５１において得られた撮像信号は、撮像信号処理回路７５４に供給されて処理され、この撮像信号処理回路７５４からは被写体に対応した画像データ（撮像画像データ）が得られる。静止画撮像時には、静止画像信号処理回路７５７では、撮像信号処理回路７５４から出力される画像データに対して、圧縮符号化処理等が施されて、静止画像データが生成される。この静止画像データは、記録再生部７５９により、メモリカード７６０等に記録される。
【００９９】
また、動画撮像時には、動画像信号処理回路７５８では、撮像信号処理回路７５４から出力される画像データに対して、音声信号処理回路７５６から出力される音声データとともに、記録メディアフォーマットに準じた圧縮符号化等の処理が施され、音声データが付加された動画像データが生成される。この動画像データは、記録再生部７５９により、メモリカード７６０等に記録される。
【０１００】
静止画像の再生時には、メモリカード７６０等から静止画像データが読み出され、静止画像信号処理回路７５７で復号化等の処理が施されて再生画像データ得られる。この再生画像データはシステム制御プロセッサ７１１および動画像信号処理回路７５８を介してパネル駆動回路７４３に供給され、表示パネル７４４に、静止画像が表示される。
【０１０１】
動画像の再生時には、記録再生部７５９によりメモリカード７６０等から動画像データが読み出され、動画像信号処理回路７５８において復号化等の処理が施されて再生画像データが得られる。そして、再生画像データはパネル駆動回路７４３に供給され、表示パネル７４４に、動画像が表示される。
【０１０２】
メモリカード７６０等に記録されている静止画像データまたは動画像データに係る画像または音声のデータを外部機器（シンク機器）に送信する場合、メモリカード７６０から静止画画像データまたは動画像データが読み出される。そして、読み出された静止画画像データまたは動画像データは、静止画像信号処理回路７５７または動画像信号処理回路７５８に供給され、復号化等の処理が施されて、ベースバンドの画像および音声のデータが得られる。そして、このベースバンドの画像および音声のデータがＨＤＭＩ送信部７２６に供給され、ＨＤＭＩ端子７２７に接続されたＨＤＭＩケーブルに送出される。
【０１０３】
また、撮像信号処理回路７５４または音声信号処理回路７５６から直接出力される静止画像データまたは動画像データに係る画像または音声のデータを外部機器（シンク機器）に送信する場合、これらはＨＤＭＩ送信部７２６に供給される。そして、ＨＤＭＩ端子７２７に接続されたＨＤＭＩケーブルに送出される。
【０１０４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１０５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１０６】
なお、本明細書に記載された効果はあくまで例示であって、限定されるものではなく、また、他の効果があってもよい。
【０１０７】
なお、本技術は以下のような構成もとることができる。
（１）伝送路を介して他の機器との間で伝送を行う伝送回路と、
前記他の機器に対して前記伝送路における伝送方向の反転要求を行った後に前記伝送路を開放し、前記他の機器からの反転許可に応答して前記伝送回路における伝送方向を反転させる伝送方向反転制御部と
を具備するインターフェース回路。
（２）前記伝送方向反転制御部は、前記伝送回路が前記他の機器に対してデータを送信する状態において、前記反転要求を前記他の機器に対して行う前記（１）に記載のインターフェース回路。
（３）前記伝送方向反転制御部は、前記伝送回路が前記他の機器に対してデータを送信する状態において、前記他の機器から前記反転要求の依頼を受けた場合に前記他の機器に対する前記反転要求を行う前記（１）または（２）に記載のインターフェース回路。
（４）前記伝送回路は、前記伝送路からの差動入力と交流結合する増幅器を備える前記（１）から（３）のいずれかに記載のインターフェース回路。
（５）伝送路を介して他の機器との間で伝送を行う伝送回路と、
前記他の機器からの前記伝送路における伝送方向の反転要求に応答して前記伝送路を開放し、前記他の機器が再びアクセス可能になると前記他の機器に対して反転許可をするとともに前記伝送回路における伝送方向を反転させる伝送方向反転制御部と
を具備するインターフェース回路。
（６）前記伝送方向反転制御部は、前記伝送回路が前記他の機器からデータを受信する状態において、前記他の機器から前記反転要求を受ける前記（５）に記載のインターフェース回路。
（７）前記伝送方向反転制御部は、前記伝送回路が前記他の機器からデータを受信する状態において、前記他の機器に対して前記反転要求を依頼する前記（５）または（６）に記載のインターフェース回路。
（８）前記伝送回路は、前記伝送路への差動出力と交流結合する増幅器を備える前記（５）から（７）のいずれかに記載のインターフェース回路。
（９）伝送路を介して互いに伝送を行う第１および第２の機器を具備する伝送システムであって、
前記第１の機器は、前記伝送路を介して前記第２の機器との間で伝送を行う第１の伝送回路と、前記第２の機器に対して前記伝送路における伝送方向の反転要求を行った後に前記伝送路を開放し、前記第２の機器からの反転許可に応答して前記第１の伝送回路における伝送方向を反転させる第１の伝送方向反転制御部とを備え、
前記第２の機器は、前記伝送路を介して前記第１の機器との間で伝送を行う第２の伝送回路と、前記第１の機器からの前記反転要求に応答して前記伝送路を開放し、前記第１の機器が再びアクセス可能になると前記第１の機器に対して前記反転許可をするとともに前記第２の伝送回路における伝送方向を反転させる第２の伝送方向反転制御部とを備える
伝送システム。
（１０）伝送回路から伝送路を介して伝送を行う対象である他の機器に対して前記伝送路における伝送方向の反転要求を行う手順と、
前記伝送路を開放する手順と、
前記他の機器からの反転許可に応答して前記伝送回路における伝送方向を反転させる手順と
を具備する伝送方向制御方法。
（１１）伝送回路から伝送路を介して伝送を行う対象である他の機器から前記伝送路における伝送方向の反転要求を受ける手順と、
前記伝送路を開放する手順と、
前記他の機器が再びアクセス可能になると前記他の機器に対して反転許可をするとともに前記伝送回路における伝送方向を反転させる手順と
を具備する伝送方向制御方法。
（１２）伝送回路から伝送路を介して伝送を行う対象である他の機器に対して前記伝送路における伝送方向の反転要求を行う手順と、
前記伝送路を開放する手順と、
前記他の機器からの反転許可に応答して前記伝送回路における伝送方向を反転させる手順と
をコンピュータに実行させるためのプログラム。
（１３）伝送回路から伝送路を介して伝送を行う対象である他の機器から前記伝送路における伝送方向の反転要求を受ける手順と、
前記伝送路を開放する手順と、
前記他の機器が再びアクセス可能になると前記他の機器に対して反転許可をするとともに前記伝送回路における伝送方向を反転させる手順と
をコンピュータに実行させるためのプログラム。
【符号の説明】
【０１０８】
１０  ディスクプレイヤ
２０  オーディオアンプ
３０  テレビ受信機
１０１、２０１  ＴＭＤＳ（Transition Minimized Differential Signaling）伝送回路
１１１、１１２、２１１、２１２  増幅器
１１３、２１３  直流バイアス回路
１１４、２１４  シールド端子
１２０、２２０  プラグ接続検出回路
１６０、２６０  同相信号通信回路
１７０、２７０  伝送方向反転制御部
１８１、２８１  処理部
１８２、２８２  ＥＤＩＤ  ＲＯＭ
１８３、２８３  ＤＤＣ（Display Data Channel）レジスタ
１８４、２８４  セレクタ
１８５〜１８７、２８５〜２８７  ドライバ
３００  ケーブル
３１０〜３３０  ＴＭＤＳチャンネル＃０〜＃２
３１１  正極信号線
３１２  負極信号線
３１３  シールド信号線
３４０  ＴＭＤＳクロックチャンネル
３５０  ディスプレイデータチャンネル（ＤＤＣ）
３５１  ＳＣＬ（シリアルクロック）ライン
３５２  ＳＤＡ（シリアルデータ）ライン
３６１  ＣＥＣ（Consumer Electronics Control）ライン
３６２  Ｕｔｉｌｉｔｙライン
３６３  ＨＰＤ（Hot Plug Detect）ライン
５００  ディスクプレイヤ
６００  テレビ受信機
７００  デジタルカメラ
【図１】
2016002271.tif 000003
【図２】
2016002271.tif 000004
【図３】
2016002271.tif 000005
【図４】
2016002271.tif 000006
【図５】
2016002271.tif 000007
【図６】
2016002271.tif 000008
【図７】
2016002271.tif 000009
【図８】
2016002271.tif 000010
【図９】
2016002271.tif 000011
【図１０】
2016002271.tif 000012
【図１１】
2016002271.tif 000013
【図１２】
2016002271.tif 000014
【図１３】
2016002271.tif 000015
【国際調査報告】
2016002271.tif 000016
2016002271.tif 000017